(57)【要約】【課題】シートの揺動方向を前後又は左右に切替可能な揺動椅子を提供する。【解決手段】本発明の揺動椅子１は、利用者が着座するシート２と、当該シート２を支持するとともに当該シート２を前後又は左右方向に揺動させる脚部１０と、当該シート２の揺動方向を左右又は前後方向に切り替える切り替え手段７と、を備えている。【選択図】図１
2011056111.tif 000002
【特許請求の範囲】
【請求項１】
利用者が着座するシートと、
当該シートを支持するとともに当該シートを前後又は左右方向に揺動させる脚部と、
当該シートの揺動方向を左右又は前後方向に切り替える切り替え手段と、
を備えていることを特徴とする揺動椅子。
【請求項２】
前記脚部は、
前記シートの前後方向に延び両端部が上方に湾曲して形成され、シートを前後方向に揺動させる第１フレームと、
前記シートの左右方向に延び両端部が上方に湾曲して形成され、シートを左右方向に揺動させる第２フレームと、を備え、
前記切り替え手段は、
前記脚部として用いるフレームを前記第１又は第２フレームに切り替えることを特徴とする請求項１に記載の揺動椅子。
【請求項３】
前記切り替え手段は、前記第２フレームを脚部として用いる場合において、床面に接地する第２フレームの下端面を、前記第１フレームの下端面よりも下方に配置することを特徴とする請求項２に記載の揺動椅子。
【請求項４】
前記シートは、前記脚部上で左右方向に回転可能に設けられており、
前記切り替え手段は、
前記シートを回転させて、シートの揺動方向を切り替えることを特徴とする請求項１に記載の揺動椅子。
【請求項５】
前記脚部には、シートが揺動しないように止めるためのストッパが設けられていることを特徴とする請求項１乃至４のいずれか一項に記載の揺動椅子。
【発明の詳細な説明】
【技術分野】
【０００１】
本発明は揺動椅子に関し、特にベビーバウンサーと一般的に称される乳幼児用の揺動椅子に関する。
【背景技術】
【０００２】
一般に、ベビーバウンサーと呼ばれる乳幼児用の揺動椅子は、乳幼児が座るシートを備え、そのシートの下面には当該シートを前後方向に揺動させるフレームが取り付けられている。そして、このような揺動椅子は、乳幼児をシートに座らせた状態で、親などがシートを前方へと押すことによって、フレームの前方に荷重が移動し、その反動によってフレームの後方に荷重が移動してシートが揺動するようになっている。
【０００３】
その他にも、シートと脚部との間に弾性部材を介在させ、その弾性力でもって、シートを前後方向に揺動させる揺動椅子が知られている（例えば、特許文献１参照）。
【先行技術文献】
【特許文献】
【０００４】
【特許文献１】特開２００７−１５９７０９号公報
【発明の概要】
【発明が解決しようとする課題】
【０００５】
従来の揺動椅子は、上記に示すように前後方向にのみシートが揺れる。よって、いつも同一方向にしか揺れることがなく、次第に乳幼児が慣れてしまい、楽しみに欠ける。よって、シートの揺動方向を複数変えることができれば、楽しみの要素を増やすことが可能であると考える。
【０００６】
また、シートを揺らす方向を切り替える際に、操作が面倒であると使い勝手が悪いため、操作性を良くする必要がある。
【０００７】
本発明は、このような問題の解消を一つの課題とし、その目的の一例は、シートの揺動方向を前後又は左右に切替可能な揺動椅子を提供するものである。
【課題を解決するための手段】
【０００８】
上記課題を解決するために、請求項１に記載の揺動椅子は、利用者が着座するシートと、当該シートを支持するとともに当該シートを前後又は左右方向に揺動させる脚部と、当該シートの揺動方向を左右又は前後方向に切り替える切り替え手段と、を備えていることを特徴とする。
【０００９】
この発明によれば、シートを前後方向に揺動させるだけでなく、左右方向にも揺動させることができるため、楽しみの要素を増やすことが可能であるとともに、乳幼児が心地良いと思う方向でシートを揺動させることができる。
【００１０】
また、請求項２に記載の揺動椅子は、請求項１に記載の揺動椅子において、前記脚部は、前記シートの前後方向に延び両端部が上方に湾曲して形成され、シートを前後方向に揺動させる第１フレームと、前記シートの左右方向に延び両端部が上方に湾曲して形成され、シートを左右方向に揺動させる第２フレームと、を備え、前記切り替え手段は、前記脚部として用いるフレームを前記第１又は第２フレームに切り替えることを特徴とする。また、請求項３に記載の揺動椅子は、請求項２に記載の揺動椅子において、前記切り替え手段は、前記第２フレームを脚部として用いる場合において、床面に接地する第２フレームの下端面を、前記第１フレームの下端面よりも下方に配置することを特徴とする。
【００１１】
この発明によれば、２つの脚部を切り替えることでシートを前後又は左右方向に揺動させることができるため、楽しみの要素を増やすことが可能であるとともに、乳幼児が心地良いと思う方向でシートを揺動させることができる。
【００１２】
また、請求項４に記載の揺動椅子は、請求項１に記載の揺動椅子において、前記シートは、前記脚部上で回転可能に設けられており、前記切り替え手段は、前記シートを回転させて、シートの揺動方向を切り替えることを特徴とする。
【００１３】
この発明によれば、シートの方向を変えることでシートを前後又は左右方向に揺動させることができるため、楽しみの要素を増やすことが可能であるとともに、乳幼児が心地良いと思う方向でシートを揺動させることができる。
【００１４】
また、請求項５に記載の揺動椅子は、請求項１乃至４のいずれか一項に記載の揺動椅子において、前記脚部には、シートが揺動しないように止めるためのストッパが設けられていることを特徴とする。
【００１５】
この発明によれば、シートを揺動しないようにできるので、乳幼児が寝てしまった場合などに簡易ベッドとして利用できる。
【発明の効果】
【００１６】
本発明によれば、シートを前後方向のみでなく、左右方向にも揺動させることができるため、楽しみの要素を増やすことが可能であるとともに、乳幼児が心地良いと思う方向でシートを揺動させることができる。
【図面の簡単な説明】
【００１７】
【図１】第１実施形態のバウンサーの構成を示す斜視図である。
【図２】左右方向にシートを揺動させる場合のバウンサーの構成を示す斜視図である。
【図３】第１実施形態のバウンサーの右側面図である。
【図４】第１実施形態のバウンサーの背面図である。
【図５】他の実施形態のバウンサーの構成を示す斜視図である。
【図６】第２実施形態のバウンサーの構成を示す斜視図である。
【図７】第２実施形態のバウンサーの右側面図である。
【図８】ストッパの機能を説明するための図である。
【図９】第２実施形態のバウンサーの正面図である。
【図１０】第２実施形態のバウンサーの背面図である。
【図１１】上連結部材の構造を説明するための斜視図である。
【図１２】下連結部材の構造を説明するための斜視図である。
【図１３】左右方向にシートを揺動させる場合のバウンサーの構成を示す正面図である。
【発明を実施するための形態】
【００１８】
以下、本願の最良の実施形態について添付図面を参照して説明する。
【００１９】
本実施形態のバウンサー１、１Ａ（本願の揺動椅子）は、図１及び図６に示すように、ユーザが着座するシート２と、当該シート２を支持するとともに当該シート２を揺動させる脚部１０と、当該シート２の揺動方向を左右又は前後方向に切り替える切り替え手段７と、を備えている。
【００２０】
以下に示す第１実施形態の脚部５は、図１に示すように、シート２を前後方向に揺動させる第１フレーム１１と、この第１フレーム１１の前後に設けられ、シート２を左右方向に揺動させる第２フレーム１２と、を備えている。そして、このバウンサー１は、前記切り替え手段７としてのレバー１５を用いて、脚部１０として使用するフレームを、前記第１フレーム１１又は第２フレーム１２のどちらか一方に切り替えてシート２の揺動方向を切り替えることが可能である。
【００２１】
一方、以下に示す第２実施形態のシート２は、図６に示すように、その向きを変更するために前記脚部１０上で左右方向に回転可能に設けられており、当該シート２は脚部１０に前記切り替え手段７としての連結部３０を介して回転することが可能になっている。また、前記脚部１０は、両端部が上方に湾曲して形成されている基部フレーム２５を備えており、このバウンサー１Ａは、前記シート２を回転させることで、シート２の揺動方向を切り替えることが可能である。
【００２２】
また、基部フレーム２５の後端部はシート２の揺動を止めるためのＵ字状のフレーム２７を、連結部２６を介して下方に折り曲げ可能に設けている。そして、このバウンサー１Ａは、当該フレーム２７を下方に折り曲げることで、シート２が揺動しないようにすることが可能である。
【００２３】
以下、本発明のバウンサーの第１及び第２実施形態の具体的な構成、及び作用について詳述する。
【００２４】
―第１実施形態―
本実施形態のバウンサー１について、図１乃至図５を用いて説明する。図１乃至図４に示すように、本実施形態のバウンサー１は、ユーザとしての乳幼児が座るシート２を備える座部３と、この座部３を支持するとともに床面に接地する脚部１０と、を備えている。
【００２５】
座部３は、上記に示すようにシート２を備えており、当該シート２は、乳幼児の下半身を支える座席部２ａと、上半身を支える背もたれ部２ｂと、を備えている。このシート２は中央部に窪みを有して形成されており、この窪みに乳幼児が収まるようになっている。なお、シート２は柔らかな布製のカバーによって形成され、当該カバーの周縁は、綿などによって盛り上がるように形成されてその中央に窪みが形成されている。また、背もたれ部２ｂの上部には、乳幼児の頭部を保持するためのクッション１６が取り付けられている。
【００２６】
このシート２は、背もたれ部２ｂを支持する上部フレーム４ａと、この上部フレーム４ａに連結部５を介して取り付けられ、座席部２ａを支持する下部フレーム４ｂと、によって支持される。
【００２７】
上部フレーム４ａは、略逆Ｕ字状に形成され、当該背もたれ部２ｂの周縁に設けられる。一方、下部フレーム４ｂは、前方へと略水平に延び、前方で下方に湾曲するように形成され、当該座席部２ａの左右周縁に設けられる。
【００２８】
連結部５は、上部フレーム４ａと下部フレーム４ｂとを連結し、その内部には、下部フレーム４ｂに対する上部フレーム４ａ（背もたれ部２ｂ）の傾倒角度を調整する角度調整機構が設けられている。この角度調整機構は、図示しないが、例えば、下部フレーム４ｂ側に設けられる複数の孔部と、上部フレーム４ａ側に設けられる突部と、を備え、当該突部がいずれか１つの孔部と嵌合することによって、下部フレーム４ｂに対する上部フレーム４ａの傾斜角度が規定される。この突部は、上部フレーム４ａの上端部に設けられている取手６（図４）にワイヤー（図示なし）などを介して接続され、当該取手６を握ることで、当該ワイヤーが緊張して突部が孔部との嵌合を解除する一方で、当該取手６の握りを解除することで、当該ワイヤーの緊張状態が解除され、当該突部が所定の孔部と嵌合し、ユーザは好みに応じて、背もたれ部２ｂの傾斜角度を調整することができるようになっている。
【００２９】
なお、背もたれ部２ｂの角度を調整する角度調整機構は、本実施形態の具体例に限られず、従来の周知技術を適宜用いて構成することが可能である。
【００３０】
脚部１０は、座部３の下方左右に配置された前後方向に延びる第１フレーム１１を備えている。当該第１フレーム１１は、その後方が連結されて略Ｕ字状に形成され、前端部は、前記下部フレーム４ｂの端部に連結されている。
【００３１】
この第１フレーム１１は、前後両端部が上方に湾曲して形成されており、シート２を前方に傾倒させると、荷重が前方へと移動し、その反力で荷重が後方へと移動する動作を繰り返すことでシート２を前後方向に揺動可能となっている。
【００３２】
また、第１フレーム１１の前後には、その内側に左右方向に延びる一対の第２フレーム１２を備えている。この第２フレーム１２は、それぞれ略Ｕ字状に形成され、図２及び図４に示すように、当該第２フレーム１２を地面に対して立設したときに、地面に接地するフレームの左右両端部が上方に湾曲して形成されている。これにより、シート２を左右どちらか一方に傾倒させると、荷重がその方向へと移動し、その反力で荷重が他方へと移動する動作を繰り返すことでシート２を左右方向に揺動可能となっている。
【００３３】
また、当該第２フレーム１２は、第１フレーム１１の外側に設けられたレバー１５によって回動可能に設けられている。このレバー１５は、第１フレーム１１を挟み込むようにして第２フレーム１２と、例えば図示しないネジなどによって連結され、その回転方向によってネジを締め込み又はネジを緩めて、第２フレーム１２を固定、又は回動することが可能である。
【００３４】
そして、第２フレーム１２は、レバー１５を用いて、第１フレーム１１の内側に折り畳まれて配置される位置（図１参照）と、第１フレームの下方に突出し、地面に対して立設する位置（図２参照）と、に回動可能であり、この第２フレーム１２の回動によって、脚部１０として機能するフレームを、第１フレーム１１又は第２フレーム１２に切り替え可能となっている。そして、脚部１０として第１フレーム１１を用いる場合には、シート２を前後方向に揺動可能である一方で、脚部１０として第２フレーム１２を用いる場合には、シート２を左右方向に揺動可能となっている。
【００３５】
このように本実施形態のバウンサー１は、レバー１５を用いて第２フレーム１２の位置を切り替え、脚部１０として当該第１フレーム１１又は第２フレーム１２を用いることでシート２を前後方向、又は左右方向に切り替えることが可能となっている。
【００３６】
また、本実施形態のバウンサー１は、付属品として、図５に示すように、連結部５に着脱可能に取り付けられるＵ字状の取手２０を更に備えていても構わない。この取手は、例えば樹脂製であって所定の弾性力を有する。このようにすれば、バウンサー１は、持ち運びが容易となり便利である。
【００３７】
―第２実施形態―
本実施形態のバウンサー１Ａについて、図６乃至図１３を用いて説明する。
【００３８】
第１実施形態のバウンサー１が、シート２を前後方向に揺動させるための第１フレーム１１と、シート２を左右方向に揺動させるための第２フレーム１２と、を切り替えることによって好みの方向にシート２を揺動可能であるのに対して、本実施形態のバウンサー１Ａは、シート２を左右方向に回転させることで好みの方向にシート２を揺動可能である点で異なる。
【００３９】
図６乃至図１０に示すように、本実施形態のバウンサー１Ａは、乳幼児が座るシート２を備える座部３と、この座部３を支持するとともに床面に接地する脚部１０と、を備えている。
【００４０】
座部３は、上記に示すようにシート２を備えており、当該シート２は、乳幼児の下半身を支える座席部２ａと、上半身を支える背もたれ部２ｂと、を備えている。このシート２は中央部に窪みを有して形成されており、この窪みに乳幼児が収まるようになっている。なお、シート２は柔らかな布製のカバーによって形成され、当該カバーの周縁は、綿などによって盛り上がるように形成されてその中央に窪みが形成されている。また、シート２には、背もたれ部２ｂから座席部２ａにかけて乳幼児をシートに固定するための３点式のシートベルト４１が配置されている。また、背もたれ部２ｂの上部には、乳幼児の頭部を保持するためのクッション１６が取り付けられている。
【００４１】
このシート２は、座部３を支持する支持フレーム２１を備えており、支持フレーム２１は、背もたれ部２ｂを支持する上部フレーム２２と、この上部フレーム２２に連結部５を介して取り付けられ、座席部２ａを支持する下部フレーム２３と、を備えている。
上部フレーム２２及び下部フレーム２３は、略逆Ｕ字状に形成され、当該背もたれ部２ｂ及び座席部２ａの周縁に設けられて、シート２を支持する。
【００４２】
連結部５には、上記第１実施形態と同様に、下部フレーム２３に対する上部フレーム２２（背もたれ部２ｂ）の傾倒角度を調整する角度調整機構が設けられている。
【００４３】
脚部１０は、座部３の下方左右に前後方向に延びる基部フレーム２５を備えている。当該基部フレーム２５は、前方が連結されて略Ｕ字状に形成されている。また、この基部フレーム２５は前後両端部が上方に湾曲して形成されており、例えば、図６において、シート２を前方に傾倒させると、荷重が前方へと移動し、その反力で荷重が後方へと移動する動作を繰り返すことでシート２を揺動可能となっている。
【００４４】
また、この基部フレーム２５の後方には、連結部２６を介して略Ｕ字状の後方フレーム２７が連結されている。
【００４５】
連結部２６は、基部フレーム２５と後方フレーム２７とを連結し、その内部には、基部フレーム２５に対して後方フレーム２７を回動可能な回動機構が設けられている。この回動機構は、例えば、基部フレーム２５側に設けられる２つの孔部と、後方フレーム２７側に設けられる突部と、を備え、当該突部が孔部と嵌合することによって、基部フレーム２５と後方フレーム２７とが固定され、この嵌合を解除することで後方フレーム２７を回動することが可能となっている。この固定と解除は、連結部２６に設けられているボタンの押下によって行われる。すなわち、図８に示すように、ボタンの押下によって孔部と突部の嵌合を解除し、例えば、後方フレーム２７を下方に回動して一方の孔部に突部を嵌合して固定することでシート２の前後方向の揺動を阻止し、ストッパとして機能させることが可能である。一方で、ボタンの押下によって嵌合を解除し、後方フレーム２７を上方に回動して他方の孔部に突部を嵌合して基部フレーム２５の湾曲状態と一致させて固定することで、シート２を揺動可能となっている。なお、後方フレーム２７の後端部には、ゴムなどの弾性部材２７ａが巻きつけられている。この弾性部材２７ａにより、床面との摩擦係数を上げて滑りを防止することが可能である。
【００４６】
また、座部３と脚部１０とは、連結部３０により着脱可能に連結されている。連結部３０は、上部連結部材３１と下部連結部材３２とを備えている。上部連結部材３１は、上部フレーム２２と下部フレーム２３とを連結する左右の連結部５から下方向中央部に湾曲して延びるフレーム２４に取り付けられている。一方、下部連結部材３２は、基部フレーム２５の左右から上方向中央部に湾曲して延びるフレーム２８に取り付けられている。
【００４７】
図１１に示すように、上部連結部材３１は、有底円筒状の本体３１ａを有し、放射状に形成される突起部３５ａを有する環状の凹部３５が本体３１ａの内部に形成されているとともに、その凹部３５の中央には下方（図１１上では上方）に延びる軸部材３６が設けられている。また、凹部３５には、軸部材３６を介して対称的に配置され、バネなどの弾性部材を介してその弾性力により凹部３５上に突出する一対の突起３７、３７が設けられている。この突起３７は、図６及び図９に示すように、下部フレームの前端部中央に設けられている把持部２３ａにワイヤー（図示なし）などを介して接続され、当該把持部２３ａを握ることで、当該ワイヤーを緊張させて突起３７を凹部３５から露出させ立設させる。
【００４８】
一方、下部連結部材３２は、図１２に示すように、有底円筒状の本体３２ａを有し、放射状に形成される突起部４５ａを有する環状の凸部４５が本体３２ａの内部に弾性部材（図示なし）を介して上下に移動可能に設けられている。また、前記凸部４５の中央には前記軸部材３６を挿脱可能な孔部４６が形成されている。
【００４９】
上部連結部材３１と下部連結部材３２は、前記軸部材３６が前記孔部４６に挿入され、前記凹部３５と凸部４５が嵌合することで連結される。
【００５０】
この時、突起３７は、凸部４５により押圧されて内部へと引っ込んでいるが、把持部２３ａを握ることで、当該ワイヤーが緊張して突起３７が凹部３５上に突出し、凸部４５をその弾性力に抗して押圧し、当該凸部４５を内部へと引っ込める。これにより、上部連結部材３１を下部連結部材３２の上端面上で左右方向に回転可能となり図１３に示すように、シート２の方向を変えることが可能である。本実施形態のバウンサー１Ａは、この状態で、シート２を左右どちらか一方に傾倒させると、荷重がその方向へと移動し、その反力で荷重が他方へと移動する動作を繰り返すことでシート２を左右方向に揺動可能となっている。
【００５１】
このように本実施形態のバウンサー１Ａは、連結部３０を用いてシートの方向を変えることによりシート２を前後方向、又は左右方向に切り替えることが可能となっている。
なお、本願は本実施形態に限定されるものではなく、種々の形態にて実施することが可能である。例えば、第２実施形態に用いられているストッパ機能を第１実施形態にもたせるようにしても構わない。また、シート２は傾倒可能でなくても良く、ある角度で固定されているものであっても良い。また、シート２の形状も本実施形態のようなものでなく、利用者が着座できるようなものであれば良い。
【００５２】
また、本願の揺動椅子は、本実施形態では幼児が用いるバウンサー１、１Ａを好適な例として説明しているが、大人用の揺動椅子として用いることも勿論可能である。この場合、本実施形態に用いたシート２の形状を、一般的に用いられる椅子の座席の形状とし、当該座席の脚部を本実施形態のように揺動可能とすれば良い。
【符号の説明】
【００５３】
１、１Ａ  バウンサー
２  シート
７  切り替え手段
１０  脚部
１１  第１フレーム
１２  第２フレーム
１５  レバー
３０  連結部
【図１】
2011056111.tif 000003
【図２】
2011056111.tif 000004
【図３】
2011056111.tif 000005
【図４】
2011056111.tif 000006
【図５】
2011056111.tif 000007
【図６】
2011056111.tif 000008
【図７】
2011056111.tif 000009
【図８】
2011056111.tif 000010
【図９】
2011056111.tif 000011
【図１０】
2011056111.tif 000012
【図１１】
2011056111.tif 000013
【図１２】
2011056111.tif 000014
【図１３】
2011056111.tif 000015